(57)【要約】      （修正有）【課題】比較的安価で容易に組み立てられるとともに、消費者の感性に訴え、消費者の関心を惹くことができるポップ構造体を提供する。【解決手段】基部２と、基部と対向するとともに、展示物Ｄが設置される載置部３と、基部に支持されるとともに、載置部を基部との対向状態を保ちながら基部に対して揺動可能に支持する支持部４と、を具備し、接触又は振動に伴って展示物を揺動しながら展示する。【選択図】図１
0003231191.tif 000002
【実用新案登録請求の範囲】
【請求項１】
基部と、
前記基部と対向するとともに、展示物が設置される載置部と、
前記基部に支持されるとともに、前記載置部を前記基部との対向状態を保ちながら前記基部に対して揺動可能に支持する支持部と、
を具備し、
接触又は振動に伴って前記展示物を揺動しながら展示すること、
を特徴とするポップ構造体。
【請求項２】
前記支持部が、前記基部側に配置される硬質な第１片と、前記載置部側に配置される硬質な第２片と、前記第１片及び前記第２片の間に介在する柔軟な接続片と、を含み、
前記接続片が撓むことで前記載置部が前記基部に対して揺動すること、
を特徴とする請求項１に記載のポップ構造体。
【請求項３】
前記接続片が透明であり、
前記第１片及び前記第２片が着色されていること、
を特徴とする請求項２に記載のポップ構造体。
【請求項４】
前記基部と前記載置部とを繋ぎ、前記載置部の揺動範囲を制限する紐部
を更に具備することを特徴とする請求項１〜３のいずれかに記載のポップ構造体。
【考案の詳細な説明】
【技術分野】
【０００１】
本考案は、商品や商品サンプルなどの展示物を展示するためのポップ構造体に関する。
【背景技術】
【０００２】
店舗やショーウィンドウなどにおいて、商品等の展示物を看者に向けて展示する際に使用される支持体が知られている。例えば特許文献１には、扁平な紙材を折り込み、簡単に組立てて展示物を支持し、展示可能な展示物の支持体が開示されている。
【先行技術文献】
【特許文献】
【０００３】
【特許文献１】実用新案登録第３１６０５８０号公報
【考案の概要】
【考案が解決しようとする課題】
【０００４】
特許文献１の支持体は、比較的安価で、かつ容易に組み立てられるという利点を持つものの、展示物は支持体に載置されるだけで、載置された展示物に何らかの動きをもたらすものではない。したがって、消費者の感性に訴え、消費者の関心を惹くという点では十分とは言い難い。
【０００５】
そこで、本考案は、比較的安価で容易に組み立てられるとともに、消費者の感性に訴え、消費者の関心を惹くことができるポップ構造体の提供を目的とする。
【課題を解決するための手段】
【０００６】
上述した課題を解決すべく、本考案は、
基部と、
前記基部と対向するとともに、展示物が設置される載置部と、
前記基部に支持されるとともに、前記載置部を前記基部との対向状態を保ちながら前記基部に対して揺動可能に支持する支持部と、
を具備し、
接触又は振動に伴って前記展示物を揺動しながら展示すること、
を特徴とするポップ構造体
を提供する。
【０００７】
本考案のポップ構造体では、
前記支持部が、前記基部側に配置される硬質な第１片と、前記載置部側に配置される硬質な第２片と、前記第１片及び前記第２片の間に介在する柔軟な接続片と、を含み、
前記接続片が撓むことで前記載置部が前記基部に対して揺動すること、
が好ましい。
【０００８】
また、本考案のポップ構造体では、
前記接続片が透明であり、
前記第１片及び前記第２片が着色されていること、
が好ましい。
【０００９】
また、本考案のポップ構造体は、
前記基部と前記載置部とを繋ぎ、前記載置部の揺動範囲を制限する紐部
を更に具備すること、が好ましい。
【考案の効果】
【００１０】
上記本考案のポップ構造体を用いることにより、比較的安価で容易に組み立てられるとともに、載置部の基部に対する揺動という動きをもって視覚的・感覚的に消費者の感性に訴えることができる。したがって、消費者の関心を惹くことができる。
【図面の簡単な説明】
【００１１】
【図１】本実施形態に係るポップ構造体１の概略図である。
【図２】ポップ構造体１の正面図、側面図及びＡ−Ａ線断面図である。
【考案を実施するための形態】
【００１２】
以下、本考案の代表的な実施形態に係るポップ構造体について、図面を参照しつつ詳細に説明する。ただし、本考案は、本実施形態に限定されるものではない。また、図面は、本考案を概念的に説明するためのものであるから、理解容易のために、必要に応じて寸法、比又は数を誇張又は簡略化して表している場合もある。
【００１３】
ポップ構造体１は、図１に示すように展示物Ｄを展示するために使用され、接触又は振動されると展示物Ｄを揺動しながら展示する。ポップ構造体１は、基部２、載置部３及び支持部４を具備する。ポップ構造体１は、主として樹脂部材及び紙部材から構成されるが、これに限られず、金属が用いられてもよい。
【００１４】
基部２は、床やテーブルなどの設置面に設置される板状の部材である。基部２は、円状であるが、三角形、四角形などの多角形状でもよいし、その他の形状でもよい。
【００１５】
載置部３は、基部２と対向する板状の部材である。載置部３は、基部２と対向する下面３１と、その反対側の上面３２とを有し、上面３２には展示物Ｄが設置される。載置部３は、基部２と実質的に同じ形状であることが好ましい。
【００１６】
支持部４は、基部２に支持されるとともに、載置部３を基部２に対して揺動可能に支持する。支持部４は、基部２と載置部３との間に介在すると言ってもよく、基部２及び／又は載置部３に固定されていてよい。支持部４は、基板４１と、基板４１に取り付けられる補強片４２，４３と、を含む。基板４１はスチレンなどの透明な樹脂材料で作製され、所定の柔軟性を有する。補強片４２，４３は、スチレンなどからなる樹脂板と、その両面に張り合わされた色紙と、から構成されてよい。
【００１７】
より具体的には、基板４１は、略Ｖ字状の片４１ａ，４１ｂと、片４１ａ，４１ｂの開放端同士を繋ぐ接続片４１ｃと、を含む。片４１ａ，４１ｂは、それぞれ基部２及び載置部３に接続され、部分的に向き合うように（上下にずれて）配置されている。片４１ａ，４１ｂの開放端同士は接続片４１ｃによって連結されている。本実施形態では、接続片４１ｃは、略鉛直方向に延びている。
【００１８】
片４１ａの両面には補強片４２が、片４１ｂの両面には補強片４３が、それぞれ貼り付けられ、該当部位の強度ないし剛性を高めている。したがって、支持部４は、基部２側に配置される硬質な第１片（片４１ａ及び補強片４２）と、載置部３側に配置される硬質な第２片（片４１ｂ及び補強片４３）と、これら第１片及び第２片の間に介在する柔軟な接続片４１ｃと、を含むこととなる。
【００１９】
それゆえ、ポップ構造体１をゆすったり載置部３に触れたりすることで、支持部４の一部（即ち接続片４１ｃ）が撓み、載置部３が基部２に対して揺動することとなる（図２（Ｃ）参照）。揺動の方向は、接続片４１ｃが延びる方向に略直交する方向であり、載置部３が基部２への対向状態を保ったまま揺動すると言ってもよい。
【００２０】
基板４１は透明であり、補強片４２，４３は着色されているか色紙で覆われている（図２（Ａ）参照）。つまり、支持部４では、着色された２つの部位（第１片及び第２片）の間に透明な接続片４１ｃが介在しており、支持部４の一部が透明ということになる。したがって、遠目からポップ構造体１を見たときに、展示物Ｄ及びポップ構造体１の上部が、ポップ構造体１の下部から分離して宙に浮いているように見える。
【００２１】
ポップ構造体１は、紐部５を具備していてもよい。紐部５は、基部２と載置部３とを繋ぐ部材であり、載置部３の揺動範囲を制限して揺動を安定させる役割を果たす。また、紐部５は、ポップ構造体１の下部が載置部３に吊るされているかのように見せる効果をも有する。
【００２２】
紐部５は、ナイロンなどの樹脂材料で作製されてもよい。本実施形態では、４本の紐が紐部５を構成しているが、適宜変更されてもよい。概ね、紐の本数が増えると、載置部３の揺動範囲αが小さくなり、紐の本数が減ると、揺動範囲αは大きくなる。
【００２３】
本実施形態に係るポップ構造体１では、ポップ構造体１をゆすったり載置部３に触れたりすることで、柔軟な接続片４１ｃが撓み、載置部３が基部２に対して揺動する。このような揺動動作は人目を惹き、視覚的・感覚的に消費者の感性に訴えることができる。
【００２４】
また、支持部４が透明な部分（接続片４１ｃ）で区切られているため、遠目から見ると商品が浮いているかのように錯覚する。あるいは、支持部４の下部及び基部２が載置部３に吊下げられているかのように錯覚する。
【００２５】
それゆえ、ポップ構造体１は人目を引き、近づいて見てみたくなる演出効果を有する。つまり、看者に関心を持ってもらいやすくなり、新商品のピンポイントＰＯＰ提案に効果的に利用できる。
【００２６】
また、ポップ構造体１は、スチレンなどの樹脂材料と紙とで作製されるので、組立てや持ち運びが容易であるとともに、アクリル製などのＰＯＰより製造コストを抑制することができる。
【００２７】
以上、本考案の代表的な実施形態について説明したが、本考案はこれらに限定されるものではなく、種々の設計変更が可能である。
【符号の説明】
【００２８】
１  ポップ構造体
２  基部
３  載置部
４  支持部
５  紐部
【図１】
0003231191.tif 000003
【図２】
0003231191.tif 000004